(57)【要約】【課題】洗い、すすぎ、脱水、乾燥の一連の行程を逐次制御する洗濯乾燥機の制御システムにおいて、情報提供者のデータサーバから送信された花粉情報を端末装置を介して洗濯乾燥機本体にて受信し、その情報を基に運転内容を変更できる制御システムを提供する。【解決手段】洗濯乾燥機本体３７と第１のデータ送受信手段３９を有する端末装置３６とでデータを送受信し、端末装置３６とデータサーバ４０とを回線を通して接続する。洗濯機本体３７には、端末装置３６とデータを送受信する第２のデータ送受信手段３８と、運転内容やデータサーバ４０から送られてきた情報を表示する表示手段４２と、洗い、すすぎ、脱水、乾燥の一連の行程を逐次制御する制御手段３３とを有し、制御手段３３は、データサーバ４０から送られてきた当日の花粉情報によって、表示手段４２の表示内容を変更できるようにする。【選択図】  図１
2004344372.tif 000002
【特許請求の範囲】
【請求項１】
洗濯乾燥機本体とデータを送受信する第１のデータ送受信手段を有する端末装置と、前記端末装置と回線を通して接続したデータサーバと、前記端末装置とデータを送受信する第２のデータ送受信手段と、運転内容やデータサーバから送られてきた情報を表示する表示手段と、洗い、すすぎ、脱水、乾燥の一連の行程を逐次制御する制御手段とを備え、前記制御手段は、前記データサーバから送られてきた当日の花粉情報によって、前記表示手段の表示内容を変更できるようにした洗濯乾燥機の制御システム。
【請求項２】
制御手段は、データサーバから送られてきた当日の花粉情報によって、洗いから乾燥までの全自動コースを動作させるようにした請求項１記載の洗濯乾燥機の制御システム。
【請求項３】
制御手段は、データサーバから送られてきた当日の花粉情報によって、洗いから乾燥までの全自動コースを初期状態で表示するようにした請求項１記載の洗濯乾燥機の制御システム。
【請求項４】
制御手段は、洗濯のみのコースを運転するとき、データサーバから送られてきた当日の花粉情報を表示手段に表示するようにした請求項１記載の洗濯乾燥機の制御システム。
【請求項５】
制御手段は、電源を入れたとき、データサーバから送られてきた当日の花粉情報を表示手段に表示するようにした請求項１記載の洗濯乾燥機の制御システム。
【請求項６】
洗濯乾燥機本体とデータを送受信する第１のデータ送受信手段を有する端末装置と、前記端末装置と回線を通して接続したデータサーバと、前記端末装置とデータを送受信する第２のデータ送受信手段と、運転内容やデータサーバから送られてきた情報を表示する表示手段と、洗い、すすぎ、脱水、乾燥の一連の行程を逐次制御する制御手段とを備え、前記制御手段は、前記データサーバから送られてきた前日の花粉情報によって、すすぎ回数を変更できるようにした洗濯乾燥機の制御システム。
【請求項７】
制御手段は、データサーバから送られてきた前日の花粉情報によって、すすぎの回数を増やすようにした請求項６記載の洗濯乾燥機の制御システム。
【請求項８】
制御手段は、データサーバから送られてきた前日の花粉情報によって、すすぎの回数を増やしたコースを運転するようにした請求項６記載の洗濯乾燥機の制御システム。
【発明の詳細な説明】
【０００１】
【発明の属する技術分野】
本発明は、洗い、すすぎ、脱水、乾燥の一連の行程を逐次制御する洗濯乾燥機の制御システムに関するものである。
【０００２】
【従来の技術】
従来、洗濯乾燥機は、操作部のキーを押すことにより操作することができ、また、洗い、すすぎ、脱水、乾燥の一連の行程を有するコースは、操作部のキーの選択により選択することができ、洗い、すすぎ、脱水、乾燥の一連の行程が規定された基本運転コース、もしくはユーザが設定した運転コースなどに基づいて、洗い、すすぎ、脱水、乾燥の各行程を実行するのが一般であった。
【０００３】
また、複数の基本運転コースとユーザの設定した運転コースなどあり、基本運転コースには、例えば、「洗濯乾燥おまかせコース」、「洗濯おまかせコース」、「おうちクリーニングコース」などが含まれている。「洗濯乾燥おまかせコース」は、最も標準的な運転コースであって、例えば洗い時間が「９分」、すすぎ回数が「注水２回」、脱水時間が「１５分」、乾燥時間が「自動」に設定されたコースである。「洗濯おまかせコース」は、洗濯、すすぎ、脱水までを行うコースであり、乾燥運転を必要としないときのための基本運転コースであって、例えば洗い時間が「９分」、すすぎ回数が「注水２回」、脱水時間が「７分」に設定されている。また、洗い時間、すすぎ回数、脱水時間、乾燥時間をそれぞれ自由にユーザが設定できる運転コースがある（例えば、特許文献１参照）。
【０００４】
【特許文献１】
特開２００２−１１９７８８号公報
【０００５】
【発明が解決しようとする課題】
近年、花粉などにアレルギー反応を示す人が多くなり、例えば、洗濯した衣類を屋外に干すことや衣類を着用して外出することなどにより、衣類に花粉が付着し、その衣類を室内に持ち込むことにより室内の花粉量が増し、アレルギー反応をひどくなる場合がある。そのため、花粉の飛散状況を知り、それに応じて、洗濯から乾燥までを自動運転したり、すすぎ回数を変更したいという要望が強くなっている。
【０００６】
本発明は上記従来の課題を解決するもので、情報提供者のデータサーバから送信された花粉情報を端末装置を介して洗濯乾燥機本体にて受信し、その情報を基に運転内容を変更できる制御システムを提供することを目的としている。
【０００７】
【課題を解決するための手段】
本発明は上記目的を達成するために、洗濯乾燥機本体と第１のデータ送受信手段を有する端末装置とでデータを送受信し、端末装置とデータサーバとを回線を通して接続し、洗濯機本体には、端末装置とデータを送受信する第２のデータ送受信手段と、運転内容やデータサーバから送られてきた情報を表示する表示手段と、洗い、すすぎ、脱水、乾燥の一連の行程を逐次制御する制御手段とを有し、制御手段は、データサーバから送られてきた当日の花粉情報によって、表示手段の表示内容を変更できるようにしたものである。
【０００８】
これにより、インターネットなどを利用し、情報提供者のデータサーバから送信された花粉情報を端末装置を介して洗濯乾燥機本体にて受信し、その情報を基に運転内容を変更することができる。
【０００９】
【発明の実施の形態】
本発明の請求項１に記載の発明は、洗濯乾燥機本体とデータを送受信する第１のデータ送受信手段を有する端末装置と、前記端末装置と回線を通して接続したデータサーバと、前記端末装置とデータを送受信する第２のデータ送受信手段と、運転内容やデータサーバから送られてきた情報を表示する表示手段と、洗い、すすぎ、脱水、乾燥の一連の行程を逐次制御する制御手段とを備え、前記制御手段は、前記データサーバから送られてきた当日の花粉情報によって、前記表示手段の表示内容を変更できるようにしたものであり、インターネットなどを利用し、情報提供者のデータサーバから送信された花粉情報を端末装置を介して洗濯乾燥機本体にて受信し、当日の花粉の飛散状況や予報などの情報を表示することができ、その情報を基に運転内容を変更することができる。
【００１０】
請求項２に記載の発明は、上記請求項１に記載の発明において、制御手段は、データサーバから送られてきた当日の花粉情報によって、洗いから乾燥までの全自動コースを動作させるようにしたものであり、当日の花粉の飛散が多いと予報されたときに、洗いから乾燥までの全自動コースを動作させ、屋外に干す必要をなくし、衣類への花粉の付着を防止することができる。
【００１１】
請求項３に記載の発明は、上記請求項１に記載の発明において、制御手段は、データサーバから送られてきた当日の花粉情報によって、洗いから乾燥までの全自動コースを初期状態で表示するようにしたものであり、当日の花粉の飛散が多いと予報されたときに、洗いから乾燥までの全自動コースを初期表示し、その状態で運転を開始することで、コース変更をするのを省くことができる。
【００１２】
請求項４に記載の発明は、上記請求項１に記載の発明において、制御手段は、洗濯のみのコースを運転するとき、データサーバから送られてきた当日の花粉情報を表示手段に表示するようにしたものであり、ユーザが洗濯のみの運転を選んだとき、当日の花粉の飛散が多いと予報された場合に、花粉の飛散が多いと予報されていることを知らせることができる。
【００１３】
請求項５に記載の発明は、上記請求項１に記載の発明において、制御手段は、電源を入れたとき、データサーバから送られてきた当日の花粉情報を表示手段に表示するようにしたものであり、電源を入れたときにデータサーバに接続し、当日の花粉の飛散状況や予報などの情報を表示することができ、ユーザはその情報を基に、好みの運転コースを選択することができる。
【００１４】
請求項６に記載の発明は、洗濯乾燥機本体とデータを送受信する第１のデータ送受信手段を有する端末装置と、前記端末装置と回線を通して接続したデータサーバと、前記端末装置とデータを送受信する第２のデータ送受信手段と、運転内容やデータサーバから送られてきた情報を表示する表示手段と、洗い、すすぎ、脱水、乾燥の一連の行程を逐次制御する制御手段とを備え、前記制御手段は、前記データサーバから送られてきた前日の花粉情報によって、すすぎ回数を変更できるようにしたものであり、情報提供者のデータサーバから送信された花粉情報を端末装置を介して洗濯乾燥機本体にて受信し、前日の花粉の飛散状況や予報などの情報を基に、すすぎ回数を変更することができる。
【００１５】
請求項７に記載の発明は、上記請求項６に記載の発明において、制御手段は、データサーバから送られてきた前日の花粉情報によって、すすぎの回数を増やすようにしたものであり、前日の花粉の飛散が多かったときに、すすぎの回数を増やすことで、前日に着用した衣類に付着した花粉を十分に落とすことができる。
【００１６】
請求項８に記載の発明は、上記請求項６に記載の発明において、制御手段は、データサーバから送られてきた前日の花粉情報によって、すすぎの回数を増やしたコースを運転するようにしたものであり、前日の花粉の飛散が多かったときに、自動的にすすぎの回数を増やすことができ、前日に着用した衣類に付着した花粉を十分に落とすことができる。
【００１７】
【実施例】
以下、本発明の実施例について、図面を参照しながら説明する。
【００１８】
（実施例１）
図２に示すように、筐体１は、内部に複数のサスペンション２によって弾性的に吊り下げた外槽３を設け、脱水時の振動を吸収する構成としている。外槽３の内部には、衣類（洗濯物および乾燥対象物）を収容する内槽４を脱水軸５を中心に回転可能に配設し、内槽４の内底部には、衣類を撹拌する回転翼６を洗濯軸７を中心に回転自在に配設している。
【００１９】
内槽４の内部周壁に小孔（図示せず）を多数設けるとともに、上方に流体バランサー８を設けている。回転翼６は、外周部に傾斜面９を有する略皿状の基盤の上面に撹拌用突出部１０を形成することで、乾燥行程においては、衣類を回転翼６の回転による遠心力で傾斜面９に沿って上方へと舞い上がりやすくしている。
【００２０】
外槽３の底部にモータ１１を配設し、その回転力を洗濯時は洗濯軸７に連結し、脱水時は脱水軸５に切り換えて伝達するクラッチ１２を介して、内槽４または回転翼６に連結している。
【００２１】
筐体１内の後方に熱交換器１３を配設し、この熱交換器１３の一端は伸縮自在の下部蛇腹状ホース１４を介して外槽３の下部に接続し、他端は循環する温風に含まれるリントを回収するリントフィルター１５を介して循環用送風機１６の一端に接続している。循環用送風機１６の他端は、加熱手段であるヒータ１７を有する温風供給路１８に接続し、送風蛇腹ホース１９を通って内槽４へ繋がり、循環する温風循環経路２０を構成している。
【００２２】
外槽カバー２１は、略ドーナツ状に形成して外槽３の上方開口側に配設し、送風蛇腹ホース１９から温風を供給する温風供給口２２を設けている。また、この外槽カバー２１に内蓋２３を開閉自在に設け、閉時は外槽カバー２１の開口部を気密的に覆い、開時は衣類を出し入れ可能にしている。
【００２３】
筐体１の上部には開口部を有する筐体カバー２４を配設し、その開口部を開閉自在に覆う外蓋２５と、入力設定手段と表示手段とからなる操作表示手段２６と、内槽４に給水する給水弁２７とを設けている。外槽３の底部には外槽３外に水を排水する排水弁２８を設けている。筐体１の後面には、送風によって外槽３、熱交換器１３等を冷却する冷却用送風機２９を配設している。
【００２４】
制御装置３０は、筐体１の背面に配設した裏板３１に取り付け、図１に示すように、マイクロコンピュータを具備した制御手段３３を有し、モータ１１、クラッチ１２、循環用送風機１６、ヒータ１７、給水弁２７、排水弁２８、冷却用送風機２９等の動作を制御し、例えば、外槽３の温度を検知するサーミスタ３４、熱交換器１３の出口の循環風温度を検知するサーミスタ３５の検知出力をモニターし乾燥終了を判定する等、洗い、すすぎ、脱水、乾燥の一連の行程を逐次制御するよう構成している。
【００２５】
端末装置３６は、洗濯乾燥機本体３７内の制御装置３０に設けた第２のデータ送受信手段３８とデータを送受信する第１のデータ送受信手段３９を有し、この端末装置３６は回線を通してデータサーバ４０に接続し、データサーバ４０から送信された情報を端末装置３６を介して洗濯乾燥機本体３７の第２のデータ送受信手段３８にて受信するよう構成している。
【００２６】
入力設定手段４１は運転コース等の設定、データサーバ４０とデータを送受信する操作をするもので、設定内容を制御手段３３に入力している。表示手段４２は運転内容やデータサーバ４０から送られてきた情報を表示するようにしている。
【００２７】
ここで、制御手段３３は、電源を入れたとき、または入力設定手段４１から入力があったとき、データサーバ４０から送られてきた当日の花粉情報によって、表示手段４２の表示内容を変更できるようにしている。
【００２８】
上記構成において動作を説明する。洗い行程では、外蓋２５と内蓋２３を開けて、内槽４に衣類を投入し運転を開始すると、給水弁２７を開き、外槽カバー２１に接続した給水蛇腹ホース３２を通して所定の水位まで給水した後、モータ１１を駆動する。伝達機構部のクラッチ１２によりモータ１１の動力を洗濯軸７を介して回転翼６に伝達して回転駆動し、撹拌用突出部１０により衣類を撹拌し、衣類どうしまたは内槽４や回転翼６との接触により作用する機械力と水流により衣類を洗浄する。
【００２９】
脱水行程では、洗濯終了後、排水弁２８を開いて内槽４内の水を排水した後、クラッチ１２を脱水側に切り換えて、モータ１１の動力を脱水軸５に伝達して内槽４を回転させ、遠心力により衣類から水分を分離させる。
【００３０】
乾燥行程では、脱水終了後、排水弁２８を閉じ、クラッチ１２を洗濯側に切り換え、モータ１１の回転を回転翼６に伝達し、正転、反転させて撹拌用突出部１０で衣類を撹拌する。同時にヒータ１７によって加熱された温風を、循環用送風機１６によって送風蛇腹ホース１９を通って温風供給口２２に送り、内槽４内に吹き込まれた温風は、衣類から水分を蒸発させながら下部蛇腹状ホース１４を通過し熱交換器１３へ送られる。
【００３１】
衣類の水分を奪って湿気を含んだ温風が、冷却送風機２９による外部空気の流入で冷却された外槽３の内壁や熱交換器１３内を通過するとき、水分の結露が起こり、湿った温風は除湿されて循環用送風機１６に戻る。この温風循環経路２０で温風を循環させ、内槽４内の衣類を乾燥させる。さらに、温風に含まれるリントを温風循環経路２０に着脱可能に設けたリントフィルター１５で回収することができる。
【００３２】
制御手段３３は、電源を入れたときもしくは入力設定手段４１から入力があったとき、データサーバ４０と通信を行い、運転内容や花粉情報を入手し、表示手段４２に当日の花粉情報を表示する。
【００３３】
このように本実施例によれば、制御手段３３は、データサーバ４０から送られてきた当日の花粉情報によって、表示手段４２の表示内容を変更できるようにしたので、インターネットなどを利用し、情報提供者のデータサーバ４０から送信された花粉情報を端末装置３６を介して洗濯乾燥機本体３７にて受信し、当日の花粉の飛散状況や予報などの情報を表示することができ、その情報を基に、最適な運転コースを設定するなど運転内容を変更することができる。
【００３４】
（実施例２）
図１に示す制御手段３３は、電源を入れたとき、または入力設定手段４１から入力があったとき、データサーバ４０と通信を行い、運転内容や花粉情報を入手し、当日の花粉の飛散が多いと予報されたときに、洗いから乾燥までの全自動コースを動作させるようにし、その内容の表示を表示手段４２に表示するにしている。他の構成は上記実施例１と同じである。
【００３５】
このように本実施例によれば、洗いから乾燥までの全自動コースを動作させることで、衣類を屋外に干す必要をなくして花粉などに曝すことがなく、衣類への花粉の付着を防止することができる。
【００３６】
（実施例３）
図１に示す制御手段３３は、電源を入れたとき、または入力設定手段４１から入力があったとき、データサーバ４０と通信を行い、運転内容や花粉情報を入手し、当日の花粉の飛散が多いと予報されたとき、表示手段４２に洗いから乾燥までの全自動コースを初期状態で表示するようにしている。他の構成は上記実施例１と同じである。
【００３７】
このように本実施例によれば、当日の花粉の飛散状況に応じて洗いから乾燥までの全自動コースを運転したい場合、コース変更をするのを省くことができる。
【００３８】
（実施例４）
図１に示す制御手段３３は、電源を入れたとき、または入力設定手段４１から入力があったとき、データサーバ４０と通信を行い、運転内容や花粉情報を入手し、洗濯のみのコースを運転するとき、データサーバ４０から送られてきた当日の花粉情報を表示手段４２に表示するようにしている。他の構成は上記実施例１と同じである。
【００３９】
このように本実施例によれば、ユーザが洗濯のみの運転を選んだとき、当日の花粉の飛散が多いと予報された場合に、花粉の飛散が多いと予報されていることを知らせることができ、洗いから乾燥までの全自動コースをすることで衣類を屋外に干して花粉などに曝すことがなく、衣類への花粉の付着を防止することができる。
【００４０】
（実施例５）
図１に示す制御手段３３は、電源を入れたとき、または入力設定手段４１から入力があったとき、データサーバ４０と通信を行い、運転内容や花粉情報を入手し、前日の花粉情報を表示したり、すすぎの回数を変更できるようにしている。他の構成は上記実施例１と同じである。
【００４１】
このように本実施例によれば、前日の花粉の飛散状況などの情報に応じて、ユーザが好みの運転内容（例えば、すすぎ回数を２回から３回に増す）に変更し、前日に着用した衣類に付着している花粉を十分に落とすことができる。
【００４２】
（実施例６）
図１に示す制御手段３３は、電源を入れたとき、または入力設定手段４１から入力があったとき、データサーバ４０と通信を行い、運転内容や花粉情報を入手し、前日の花粉情報によって、すすぎの回数を増やしたコースを運転するようにしている。他の構成は上記実施例１と同じである。
【００４３】
このように本実施例によれば、前日の花粉の飛散状況などの情報に応じて、すすぎの回数を増やし、前日に着用した衣類に付着している花粉を十分に落とすことができる。
【００４４】
なお、上記各実施例では、端末装置３６と情報提供者のデータサーバ４０とを接続するのにインターネットを用いているが、インターネットを用いるのに限定されず、データを送受信するための公衆回線や専用回線、無線や有線などを用いた場合にも適用することができる。
【００４５】
また、洗濯乾燥機本体３７と端末装置３６とを接続し、データを送受信するための無線（電波、赤外線、音波など）や有線などを用いた場合にも適用することができる。
【００４６】
【発明の効果】
以上のように本発明の請求項１に記載の発明によれば、洗濯乾燥機本体と第１のデータ送受信手段を有する端末装置とでデータを送受信し、端末装置とデータサーバとを回線を通して接続し、洗濯機本体には、端末装置とデータを送受信する第２のデータ送受信手段と、運転内容やデータサーバから送られてきた情報を表示する表示手段と、洗い、すすぎ、脱水、乾燥の一連の行程を逐次制御する制御手段とを有し、制御手段は、データサーバから送られてきた当日の花粉情報によって、表示手段の表示内容を変更できるようにしたから、インターネットなどを利用し、情報提供者のデータサーバから送信された花粉情報を端末装置を介して洗濯乾燥機本体にて受信し、その情報を基に運転内容を変更することができ、衣類を屋外に干して花粉の付着を防止したり、着用した衣類に付着している花粉を十分に落とすことができる。
【図面の簡単な説明】
【図１】本発明の第１の実施例の洗濯乾燥機の制御システムのブロック図
【図２】同制御システムを備えた洗濯乾燥機の縦断面図
【符号の説明】
３３  制御手段
３６  端末装置
３７  洗濯乾燥機本体
３８  第２のデータ送受信手段
３９  第１のデータ送受信手段
４０  データサーバ
４２  表示手段
【図１】
2004344372.tif 000003
【図２】
2004344372.tif 000004